(57)【特許請求の範囲】
【請求項１】
丸形の横断面を有するケーブルであって、
１つ以上の絶縁コアと、
互いに離間した複数の分離した単独の導体セットであって、それぞれの導体セットが、該ケーブルの長さに沿って延在する、導体セットと、
該複数の導体セット及び前記１つ以上の絶縁コアを囲む絶縁被覆部と、
を含み、
それぞれの導体セットが、
２つ以上の絶縁導体と、
該導体セットの対向する第１及び第２の側部に配設された第１及び第２の導電性遮へい用膜であって、該第１及び第２の導電性遮へい用膜が、カバー部及び被挟持部を含み、横断面において、該第１及び第２の遮へい用膜の該カバー部が組み合わさって、実質的に該２つ以上の絶縁導体を囲むと共に、該第１及び第２の遮へい用膜の該被挟持部が組み合わさって、該導体セットのそれぞれの側部に該導体セットの被挟持部を形成するように該カバー部及び該被挟持部が構成され、それぞれの被挟持部が、該ケーブルの長さに沿って延在する縁部を含む、第１及び第２の導電性遮へい用膜と、
前記導体セットの前記被挟持部内で、前記第１の導電性遮へい用膜を前記第２の導電性遮へい用膜に接合する接着層と、を含み、
前記複数の分離した単独の導体セットの中の第１のグループの分離した単独の導体セットが、前記絶縁被覆部の内部周囲に当該内部周囲に沿って配設され、前記複数の分離した単独の導体セットの中の第２のグループの分離した単独の導体セットが、前記内部周囲の内部に配設され、
前記１つ以上の絶縁コアは、前記ケーブルの前記長さに沿って延在し、
前記１つ以上の絶縁コアのそれぞれの絶縁コアが、前記第１のグループの分離した単独の導体セットの中の２つの分離した単独の導体セットの間において、前記絶縁被覆部の前記内部周囲に配設されている、ケーブル。
【請求項２】
前記複数の導体セットを囲む外側遮へい用膜を更に含み、前記絶縁被覆部が、該外側遮へい用膜を囲む、請求項１に記載のケーブル。
【請求項３】
それぞれの導体セットが、前記ケーブルの長さに沿って延在すると共に、前記導体セットの前記第１及び第２の導電性遮へい用膜の少なくとも１つに容量接触する、１つ以上のドレイン接地線を更に含む、請求項１に記載のケーブル。
【請求項４】
前記複数の分離した単独の導体セットに設置されたそれぞれの導体セットの前記縁部が、封止されている、請求項１に記載のケーブル。
【請求項５】
それぞれの導体セットの前記第１及び第２の遮へい用膜の前記カバー部が組み合わさって、それぞれの導体セットの周囲の少なくとも７０％を包囲することにより前記導体セットを実質的に囲む、請求項１に記載のケーブル。
【請求項６】
前記１つ以上の絶縁コアが、複数の絶縁コアを備え、前記複数の絶縁コアの中のそれぞれの絶縁コアが、前記第１のグループの分離した単独の導体セットの中の隣接する分離した単独の導体セットの各ペアの間に配設されている、請求項１に記載のケーブル。
【発明の詳細な説明】
【背景技術】
【０００１】
コンピュータの筐体など金属製のエンクロージャの外部での使用のために設計されているケーブルは、引火性、耐摩耗性、及び物理的耐性を付与すために、典型的には、厚い誘電材料の中に被覆されている。多くの場合、かかるケーブルは、電磁場を収容し、電磁場が外部環境内へ放射したり、他の電気又は電子システムに干渉したりしないように、導電性の金属箔又はモールの中に更に遮へいされている。
【発明の概要】
【課題を解決するための手段】
【０００２】
１つの態様において、本開示は、複数の分離した単独の導体セットであって、それぞれの導体セットが、ケーブルの長さに沿って延在する、導体セットを含むケーブルに関する。幾つかの実施形態では、それぞれの導体セットが、２つ以上の絶縁導体と、導体セットの対向する第１及び第２の側部に配設された第１及び第２の導電性遮へい用膜と、を含む。第１及び第２の導電性遮へい用膜が、カバー部及び被挟持部を含み、横断面において、第１及び第２の遮へい用膜のカバー部が組み合わさって、実質的に導体セットを囲むと共に、第１及び第２の遮へい用膜の被挟持部が組み合わさって、導体セットのそれぞれの側部に導体セットの被挟持部を形成するように該カバー部及び該被挟持部が構成され、それぞれの被挟持部が、ケーブルの長さに沿って延在する縁部を有する。
【図面の簡単な説明】
【０００３】
【図１】単独の導体セットの概略断面図である。
【図２】図１の複数の分離した単独の導体セットを含むケーブルの概略断面図である。
【図３】図１の複数の分離した単独の導体セットを含む他のケーブルの概略断面図である。
【発明を実施するための形態】
【０００４】
図１は、単独の導体セットの概略断面図である。導体セット１００は、カバー部１１０と、被挟持部１２０と、を含む。カバー部１１０の内部には絶縁導体１１２が配設され、それぞれが、導線１１４と、誘電絶縁体１１６と、を含む。被挟持部１２０は、接着剤１２２を含む。第１の導電性遮へい用膜１２４及び第２の導電性遮へい用膜１２６は、カバー部１１０及び被挟持部１２０の両方を画定する。導体セット１００の縁部には、湾曲部１２８があってもよい。
【０００５】
カバー部１１０は、任意の好適な形状であってもよく、任意の好適な寸法であってもよい。幾つかの実施形態では、カバー部１１０の形状は、複数の絶縁導体１１２を収容するように選択されてもよい。例えば、絶縁導体１１２の横断面が、実質的に円形である実施形態において、カバー部１１０の一部は、同様の曲面でこれらの形状を収容するのに好適であり得る。
【０００６】
絶縁導体１１２はそれぞれ、導線１１４と、誘電絶縁体１１６と、を含む。導線１１４は、任意の好適な導電性材料を含んでもよく、例えば、導電性、熱膨張係数、可鍛性、又は延性等の電気的又は物理的特性のために選択されてもよい。好適な材料として、銅、アルミニウム、及び銀が挙げられる。同様に、誘電絶縁体１１６は、導線１１４を絶縁するための任意の好適な誘電材料を含んでもよく、可撓性、融点、誘電率、又は任意の他の物理的若しくは（複数の）電気的特性のために選択されてもよい。好適な材料としては、ポリエチレン、ポリエチレンフォーム、又はポリテトラフルオロエチレンが挙げられる。導線１１４と誘電絶縁体１１６との両方の材料は、４０〜６０オーム、４５〜５５オーム、７０〜１１０オーム、８０〜１００オーム、又は他の所望の範囲における全体的な公称特性インピーダンスを絶縁導体１１２に与えるように選択されてもよい。
【０００７】
幾つかの実施形態では、絶縁導体１１２は、接触していてもよく、他の実施形態では、絶縁導体１１２は、空隙、あるいは物理的障壁若しくはスペーサのいずれか一方により離間されていてもよい。２つの絶縁導体１１２が、カバー部１１０内にあるものとして描かれているが、任意の数の絶縁導体が、導体セット１００内に任意の好適な配置で構成されてもよい。幾つかの実施形態では、絶縁導体１１２は、同じ形状及びサイズを有することが望ましい。これは、特に、多くの実施形態において、絶縁導体１１２が、カバー部１１０の可能な形状に影響を与えるからである。幾つかの実施形態では、それぞれの絶縁導体１１２のワイヤの直径は、２０、２１、２２、２３、２４、２６、２７、２８、又は２９ＡＷＧ（０．８１、０．７２、０．６４、０．５７、０．５１、０．４１、０．３６、０．３２、又は０．２９ｍｍ）以下である。
【０００８】
カバー部１１０はまた、任意に１つ以上のドレイン線を含んでもよい。図１の概略図には図示しないが、これらのドレイン線は、幾つかの実施形態では、カバー部１１０の内部又はカバー部１１０の外部で絶縁導体１１２間に配設されてもよい。ドレイン線が、カバー部１１０の外部にある場合、ドレイン線は、その場合でも、外側導電遮へい膜又は導体セット１００の他の外側表面に物理的に又は少なくとも電気的に接触していてもよい。電気的接触は、容量性又は抵抗性であってもよい。
【０００９】
被挟持部１２０は、カバー部１１０のどちらか一方の端部に位置してもよい。幾つかの実施形態では、被挟持部１２０は、第１の導電性遮へい用膜１２４を第２の導電性遮へい用膜１２６に固定し、層間剥離を防ぐことができる。被挟持部１２０は、第１の導電性遮へい用膜１２４を第２の導電性遮へい用膜１２６に付着させるための接着剤１２２を含んでもよく、又は導電性遮へい用膜の剛性など物理的特性により、導体セット１００は、本質的に層間剥離に耐性がある。接着剤１２２を含む実施形態では、カバー部１１０と被挟持部１２０とを形成する導電性遮へい用膜の挟持により、接着剤１２２が充填されないままの、被挟持部１２０内の隙間があってもよい。任意の好適な接着剤が使用されてもよい。幾つかの実施形態では、導電性遮へい用膜は、かしめなどの処理によるメカニカルインターロックにより取り付けられてもよい。被挟持部１２０は、１つ以上のドレイン線を含んでもよい。
【００１０】
第１の導電性遮へい用膜１２４及び第２の導電性遮へい用膜１２６は、任意の好適な材料から形成されてもよく、任意の好適な厚さであってもよい。好適な導電性材料として、銅、アルミニウム、及び銀が挙げられる。
【００１１】
湾曲部１２８は、導体セット１００の１つ以上の端部にあってもよい。幾つかの実施形態では、湾曲部１２８は、接着剤１２２の一部を含んでもよい。湾曲部１２８は、封止されていてもよく、開放されていてもよく、又は図１に示すように部分的に開放されていてもよい。図１は、導体セットの横断面を描いているので、湾曲部１２８は、導体セット１００の長さに沿う非封止又は封止縁部であり得る。湾曲部１２８は、曲線状又は弧状であってもよく、鋭角を有してもよく、又は二者の組み合わせであってもよい。湾曲部１２８を含む、被挟持部１２０の端部は、幾つかの実施形態では、ケーブルの方向に導体セット１００に沿って延在する自由縁の一部であってもよい。
【００１２】
カバー部１１０及び被挟持部１２０の比率及び相対的大きさは、特定の用途又は配置のために選択されてもよい。例えば、幾つかの実施形態では、カバー部１１０の長さは、被挟持部１２０の長さよりも長くてもよい。幾つかの実施形態では、カバー部１１０は、導体セット１００の周囲の少なくとも７０％、８０％、９０％、又は９５％を包含してもよい。カバー部１１０及び被挟持部１２０の相対的寸法は、特定の全体形状プロフィール又は特定の電気性能を提供するように選択されてもよい。
【００１３】
単独の導体セットは、任意の好適なプロセスによって製造することができる。幾つかの実施形態では、導体セットは、個別に製造されるが、ウエブ又はシートの一部としてまとめて形成され、その後、単独の又は小分けされた導体セットに切断されてもよい。
【００１４】
図２は、図１に図示された複数の導体セットを含むケーブルの概略断面図である。ケーブル２００は、単独の導体セット２１０と、コア２２０と、被覆部２３０と、を含む。単独の導体セット２１０は、図１の導体セット１００に対応し、簡単に表示するため、湾曲部は一切図示していない。
【００１５】
コア２２０は、任意の好適な材料であってもよく、任意の好適なサイズ又は構成であってもよい。幾つかの実施形態では、コア２２０は、絶縁コアである。絶縁コアの好適な材料として、ポリカーボネート、ポリエチレン、又はＰＴＦＥなどのポリマーが挙げられる。コア２２０の材料は、電気絶縁性のために選択されてもよく、可撓性、耐久性、又は耐反り性を含む物理的特性のために選択されてもよい。幾つかの実施形態では、コア２２０は、ケーブル２００の全体形状、配置、及び形態を維持させるコアの剛性のために選択されてもよい。コア２２０は、ケーブル２００の中心にあるものとして描かれているが、代わりに導体セット２１０と一体化した任意の好適な構成であってもよい。二重及び多重のコアの構成が、幾つかの用途において望まれ得る。コア２２０はまた、導体セット２１０の周囲の中心に存在する必要がなく、代わりに、かかるコアを使用して隙間及び角部を埋め、所望のケーブル形状、安定性、剛性、又は電気的な特性を達成してもよい。
【００１６】
被覆部２３０は、同様に、耐摩耗性又は耐火性など所望の外部特性をケーブル２００に付与するように任意の好適な材料であってもよい。幾つかの実施形態では、可撓性材料を選択して、ケーブル２００の所望の物理的特性を維持してもよい。被覆部２３０はまた、使用に伴う内部導体セット２１０への損傷又は摩耗を防ぐよう厚くてもよい。幾つかの実施形態では、被覆部２３０はまた、モールドされた銅層又は銀めっきなどの被覆部２３０の内部周囲に沿う１つ以上の導電層を含んでもよい。導電層により、ケーブル内の電磁場が外部環境内へ放射しなくなり、又は近傍の電子部品に干渉しなくなる。
【００１７】
導体セット２１０及びコア２２０の全体的な構成は、ケーブルの所望の形状に応じて大きく変わり得る。内部部品の形状と、被覆部２３０及びケーブル２００の所望の全体的な断面形状とを密接に一致させると、ケーブルの強度及び耐性を増大させることができる。例えば、円形の被覆部に対して略平坦又は四角形の内部構成だと、外部形状が内部形状に追随し始めるので、一層湾曲しやすい。したがって、円形ケーブル形状が多くの構成において得られ、その例が、図２及び図３に描かれている。単独の導体セットの分離性により、設計上の柔軟性が増大し、ケーブルの所望の全体形状を提供することができる。それぞれのケーブルは、任意の数のコア及び導体セットを含有してもよく、例えば、どちらか又はそれぞれが２、４、６、又は８つであってもよい。
【００１８】
図２のケーブル２００は、ページの内又は外方向に延在し得る。幾つかの実施形態では、延在した単独の導体セット２１０（つまり、単独の導体セットワイヤ）は、中心軸を中心にねじれてもよく、これは、通常の使用中、ケーブル２００を曲げたり変形させたりしたときに発生する任意の不要な電気的影響を均すためである。幾つかの実施形態では、単独の導体セット２１０は、コア２２０を中心にねじれてもよい。導体セット２１０のそれぞれは、ケーブル２００の全長に沿って延在してもよい。幾つかの実施形態では、単独の導体セット２１０は、それぞれドレイン線を含む。
【００１９】
図３は、図１の複数の単独の導体セットを含む別のケーブルの断面概略図である。ケーブル３００は、図２の導体セット２１０及び図１の導体セット１００に対応する導体セット３１０と、図２のコア２２０に対応するコア３２０と、図２の被覆部２２０に対応する被覆部３３０と、を含む。
【００２０】
ケーブル３００は、図２のケーブル２００に非常に似ているが、ケーブル３００は、異なる構成を有する。図２に描かれた単一の、中心に位置するコア２２０に代わって、４つのコア３２０の利用が描かれている。図３はまた、ケーブル３００の内部周囲に沿う４つの導体セットを描く一方、２つの導体セットが、内部周囲の中に配設されている。図３により、単独の導体セット３１０を利用することが可能なケーブル構成における変形例を図示し易くなる。図３では、コア３２０のそれぞれは、ケーブル３００の内部周囲に位置する２つの導体セット３１０の間に配設されている。コア３２０は、ケーブル３００に強度を付与し、ある形状プロフィールを維持し、単独の導体セット３１０の導電性外膜が互いに接触することを防止し、又は前述の任意の組み合わせを実施することができる。
【００２１】
ケーブルは、円形、長円形、長方形、四角形、又は多角形を含む任意の好適な断面を有してもよい。同様に、本開示の実施形態に使用されるコアは、丸形又は円形を含む任意の好適な断面を有してもよい。幾つかの実施形態では、コアの断面形状は、単独の導体セット間の隙間を充填するために選択されてもよい。
【００２２】
以下は、本開示の項目である。
項目１は、
複数の分離した単独の導体セットであって、それぞれの導体セットが、
ケーブルの長さに沿って延在する、導体セットを含むケーブルであって、導体セットが、
２つ以上の絶縁導体と、
導体セットの対向する第１及び第２の側部に配設された第１及び第２の導電性遮へい用膜であって、第１及び第２の導電性遮へい用膜が、カバー部及び被挟持部を含み、横断面において、第１及び第２の遮へい用膜のカバー部が組み合わさって、実質的に導体セットを囲むと共に、第１及び第２の遮へい用膜の被挟持部が組み合わさって、導体セットのそれぞれの側部に導体セットの被挟持部を形成するようにカバー部及び被挟持部が構成され、それぞれの被挟持部が、ケーブルの長さに沿って延在する縁部を含む、第１及び第２の導電性遮へい用膜と、
複数の導体セットを囲む絶縁被覆部と、を含む、ケーブルである。
【００２３】
項目２は、複数の導体セットを囲む外側遮へい用膜を更に含み、絶縁被覆部が、外側遮へい用膜を囲む、項目１に記載のケーブルである。
【００２４】
項目３は、導体セットの被挟持部内で、第１の遮へい用膜を第２の遮へい用膜に接合する接着層を更に含む、項目１に記載のケーブルである。
【００２５】
項目４は、４つの分離した単独の導体セットを含む、項目１に記載のケーブルである。
【００２６】
項目５は、６つの分離した単独の導体セットを含む、項目１に記載のケーブルである。
【００２７】
項目６は、８つの分離した単独の導体セットを含む、項目１に記載のケーブルである。
【００２８】
項目７は、それぞれの導体セットが、ケーブルの全長に沿って延在する、項目１に記載のケーブルである。
【００２９】
項目８は、複数の分離した単独の導体セットに設置されたそれぞれの導体セットのそれぞれの絶縁導体のワイヤの直径が、２０ＡＷＧ（０．８１ｍｍ）以下である、項目１に記載のケーブルである。
【００３０】
項目９は、複数の分離した単独の導体セットに設置されたそれぞれの導体セットのそれぞれの絶縁導体のワイヤの直径が、２１ＡＷＧ（０．７２ｍｍ）以下である、項目１に記載のケーブルである。
【００３１】
項目１０は、複数の分離した単独の導体セットに設置されたそれぞれの導体セットのそれぞれの絶縁導体のワイヤの直径が、２２ＡＷＧ（０．６４ｍｍ）以下である、項目１に記載のケーブルである。
【００３２】
項目１１は、複数の分離した単独の導体セットに設置されたそれぞれの導体セットのそれぞれの絶縁導体のワイヤの直径が、２３ＡＷＧ（０．５７ｍｍ）以下である、項目１に記載のケーブルである。
【００３３】
項目１２は、複数の分離した単独の導体セットに設置されたそれぞれの導体セットのそれぞれの絶縁導体のワイヤの直径が、２４ＡＷＧ（０．５１ｍｍ）以下である、項目１に記載のケーブルである。
【００３４】
項目１３は、複数の分離した単独の導体セットに設置されたそれぞれの導体セットのそれぞれの絶縁導体のワイヤの直径が、２６ＡＷＧ（０．４１ｍｍ）以下である、項目１に記載のケーブルである。
【００３５】
項目１４は、複数の分離した単独の導体セットに設置されたそれぞれの導体セットのそれぞれの絶縁導体のワイヤの直径が、２７ＡＷＧ（０．３６ｍｍ）以下である、項目１に記載のケーブルである。
【００３６】
項目１５は、複数の分離した単独の導体セットに設置されたそれぞれの導体セットのそれぞれの絶縁導体のワイヤの直径が、２８ＡＷＧ（０．３２ｍｍ）以下である、項目１に記載のケーブルである。
【００３７】
項目１６は、複数の分離した単独の導体セットに設置されたそれぞれの導体セットのそれぞれの絶縁導体のワイヤの直径が、２９ＡＷＧ（０．２９ｍｍ）以下である、項目１に記載のケーブルである。
【００３８】
項目１７は、複数の分離した単独の導体セットに設置されたそれぞれの導体セットのそれぞれの絶縁導体が、４０〜６０オームの範囲内の公称特性インピーダンスを有する、項目１に記載のケーブルである。
【００３９】
項目１８は、複数の分離した単独の導体セットに設置されたそれぞれの導体セットのそれぞれの絶縁導体が、４５〜５５オームの範囲内の公称特性インピーダンスを有する、項目１に記載のケーブルである。
【００４０】
項目１９は、複数の分離した単独の導体セットに設置されたそれぞれの導体セットのそれぞれの絶縁導体が、７０〜１１０オームの範囲内の公称特性インピーダンスを有する、項目１に記載のケーブルである。
【００４１】
項目２０は、複数の分離した単独の導体セットに設置されたそれぞれの導体セットのそれぞれの絶縁導体が、８０〜１００オームの範囲内の公称特性インピーダンスを有する、項目１に記載のケーブルである。
【００４２】
項目２１は、それぞれの導体セットが、ケーブルの長さに沿って延在すると共に、導体セットの第１及び第２の導電性遮へい用膜の少なくとも１つに容量接触する、１つ以上のドレイン接地線を更に含む、項目１に記載のケーブルである。
【００４３】
項目２２は、それぞれの導体セットが、ケーブルの長さに沿って延在すると共に、導体セットの第１及び第２の導電性遮へい用膜の少なくとも１つに抵抗接触する、１つ以上のドレイン接地線を更に含む、項目１に記載のケーブルである。
【００４４】
項目２３は、１つ以上のドレイン線のうち少なくとも１つのドレイン接地線が、２つの絶縁導体の間に配設される、項目２１又は２２のケーブルである。
【００４５】
項目２４は、分離した単独の導体セットの間に配設された１つ以上のドレイン接地線を更に含む、項目１に記載のケーブルである。
【００４６】
項目２５は、複数の導体セットにおける少なくとも１つの導体セットの最外主表面が、導電性であり、１つ以上のドレイン接地線が、最外主表面に電気的に接触している、項目２４に記載のケーブルである。
【００４７】
項目２６は、複数の導体セットにおける少なくとも１つの導体セットの導電性である最外主表面が、少なくとも１つの導体セットの第１及び第２の導電性遮へい用膜の１つを含む、項目２５に記載のケーブルである。
【００４８】
項目２７は、１つ以上のドレイン線のうち少なくとも１つのドレイン接地線が、導体セットの被挟持部に配設される、項目２１又は２２に記載のケーブルである。
【００４９】
項目２８は、それぞれの導体セットが、１つのドレイン接地線を含む、項目２１又は２２に記載のケーブルである。
【００５０】
項目２９は、第１及び第２の導電性遮へい用膜が、銅、アルミニウム、及び銀のうち少なくとも１つを含む、項目１に記載のケーブルである。
【００５１】
項目３０は、複数の分離した単独の導体セット内に設置されたそれぞれの導体セットの縁部が、封止されない、項目１に記載のケーブルである。
【００５２】
項目３１は、複数の分離した単独の導体セットにおけるそれぞれの導体セットの縁部が、封止される、項目１に記載のケーブルである。
【００５３】
項目３２は、それぞれの導体セットの第１及び第２の遮へい用膜のカバー部が組み合わさって、それぞれの導体セットの周囲の少なくとも７０％を包囲することにより導体セットを実質的に囲む、項目１に記載のケーブルである。
【００５４】
項目３３は、それぞれの導体セットの第１及び第２の遮へい用膜のカバー部が組み合わさって、それぞれの導体セットの周囲の少なくとも８０％を包囲することにより導体セットを実質的に囲む、項目１に記載のケーブルである。
【００５５】
項目３４は、それぞれの導体セットの第１及び第２の遮へい用膜のカバー部が組み合わさって、それぞれの導体セットの周囲の少なくとも９０％を包囲することにより導体セットを実質的に囲む、項目１に記載のケーブルである。
【００５６】
項目３５は、それぞれの導体セットの第１及び第２の遮へい用膜のカバー部が組み合わさって、それぞれの導体セットの周囲の少なくとも９５％を包囲することにより導体セットを実質的に囲む、項目１に記載のケーブルである。
【００５７】
項目３６は、丸形の横断面を有する項目１に記載のケーブルである。
【００５８】
項目３７は、円形の横断面を有する項目１に記載のケーブルである。
【００５９】
項目３８は、卵形の横断面を有する項目１に記載のケーブルである。
【００６０】
項目３９は、楕円形の横断面を有する項目１に記載のケーブルである。
【００６１】
項目４０は、多角形の横断面を有する項目１に記載のケーブルである。
【００６２】
項目４１は、正方形の横断面を有する項目１に記載のケーブルである。
【００６３】
項目４２は、三角形の横断面を有する項目１に記載のケーブルである。
【００６４】
項目４３は、複数の分離した単独の導体セットの中の分離した単独の導体セットの少なくとも一部が、ケーブルの内部周囲に配設され、２つの隣接する導体セットのそれぞれが、ケーブルの長さの少なくとも一部に沿う、導体セットの縁部において又は縁部の近くで互いに接触している、項目１に記載のケーブルである。
【００６５】
項目４４は、ケーブルの内部周囲に配設されない、複数の分離した単独の導体セットの中の任意の残りの分離した単独の導体セットが、内部周囲の内部に配設されている、項目４３に記載のケーブルである。
【００６６】
項目４５は、複数の分離した単独の導体セットの中の全ての分離した単独の導体セットが、ケーブルの内部周囲に配設されている、項目４３に記載のケーブルである。
【００６７】
項目４６は、内部周囲の中心に配設されると共に、ケーブルの長さに沿って延在する絶縁コアを更に含み、コア及び被覆部は、複数の分離した単独の導体セットの中の分離した単独の導体セットの相対的位置を維持する、項目４５に記載のケーブルである。
【００６８】
項目４７は、絶縁コアが、丸形の横断面を有する、項目４６に記載のケーブルである。
【００６９】
項目４８は、
複数の分離した単独の導体セットの中の一部の分離した単独の導体セットが、ケーブルの内部周囲に配設され、
複数の分離した単独の導体セットの中の他の一部の分離した単独の導体セットが、内部周囲に配設され、
１つ以上の絶縁性コアが、内部周囲に配設されると共に、ケーブルの長さに沿って延在し、内部周囲に配設されたそれぞれの絶縁性コアが、内部周囲に配設された２つの導体セットの間に存在する、項目１に記載のケーブルである。
【００７０】
項目４９は、１つ以上の絶縁コア内のそれぞれの絶縁コアが、丸形の横断面を有する、項目４８に記載のケーブルである。
【００７１】
図面に示される実施形態に対して記載される利点及び特徴は、十分互換性があり又は変更可能であると考えるべきであり、それらのいずれか又は全てを本開示の実施形態に含めることは適当であり得る。本発明は、上述の特定の実施例及び実施形態に限定されると考るべきではなく、このような実施形態は、本発明の様々な態様の説明を容易にするために詳細に記載されている。むしろ、本発明は、添付の特許請求の範囲及びこれらの等価物によって定義されるような本発明の範囲内に包含される様々な変更例、等価のプロセス、及び代替的装置を含む、本発明のすべての態様を網羅するものと理解されるべきである。
【図１】
0006605330.tif 000002
【図２】
0006605330.tif 000003
【図３】
0006605330.tif 000004